(57)【特許請求の範囲】
【請求項１】
ビデオ入力信号から相補の第１および第２電流を得るための差動電流源と、
前記第１電流から第１ビデオ出力信号を生成するための第１負荷ネットワークおよび前記第２電流から第２ビデオ出力信号を生成するための第２負荷ネットワークと、
第１電圧フォロワ・トランジスタを介して、第１出力ターミナルに前記第１ビデオ出力信号を供給し、第１電流源トランジスタを介して、前記第１出力ターミナルに前記第２ビデオ出力信号を供給するための第１出力回路と、
第２電圧フォロワ・トランジスタを介して、第２出力ターミナルに前記第２ビデオ出力信号を供給し、第２電流源トランジスタを介して、前記第２出力ターミナルに第１ビデオ出力信号を供給するための第２出力回路と、
トライ・ステート・コントロール信号に応答して前記第１および第２電流をイネーブルおよび禁止するためのトライ・ステート・コントロール回路とを具えたことを特徴とするトライ・ステート・ビデオ・バス駆動装置。
【請求項２】
ビデオ入力信号から相補の第１および第２電流を作成し、
第１負荷回路において、前記第１電流から同相の信号を、第２負荷回路において前記第２電流から異相の信号を生成し、
第１電圧フォロワ・トランジスタを介して第１出力ターミナルに、第１電流源トランジスタを介して第２出力ターミナルに同相の信号を供給し、
第２電圧フォロワ・トランジスタを介して前記第２出力ターミナルに、第２電流源トランジスタを介して前記第１出力ターミナルに、異相の信号を供給し、
前記相補の第１および第２電流をイネーブルして、前記第１電圧フォロワ・トランジスタ、前記第１電流源トランジスタ、前記第２電圧フォロワ・トランジスタ、および前記第２電流源トランジスタによって前記出力ターミナルにプッシュ・プル出力信号を発生させ、
前記相補の第１および第２電流を使用不可にして、前記負荷回路を介して前記第１電圧フォロワ・トランジスタ、前記第１電流源トランジスタ、前記第２電圧フォロワ・トランジスタ、および前記第２電流源トランジスタにターン・オフ・バイアスを与えることによって、前記出力ターミナルを分離する
ことを特徴とするトライ・ステート・ビデオ・バス駆動方法。
【発明の詳細な説明】
【０００１】
【発明の属する技術分野】
本発明は、一般的にビデオ中継（ｉｎｔｅｒｃｏｎｎｅｃｔｉｏｎ）システムに関するもので、特にビデオ・バスにトライ・ステート（Ｔｒｉ−ｓｔａｔｅ）駆動信号を提供するためのベースバンドビデオ駆動増幅器に関するものである。
【０００２】
なお、本明細書の記述は本件出願の優先権の基礎たる米国特許出願第０８／２９４，１４６号（１９９４年８月２２日出願）の明細書の記載に基づくものであって、当該米国特許出願の番号を参照することによって当該米国特許出願の明細書の記載内容が本明細書の一部分を構成するものとする。
【０００３】
【従来の技術】
バスを用いた二方向のビデオ中継システムは、例えばビデオ・テープ・レコーダ、ビデオ・ディスク・プレーヤ、テレビジョン・チューナ、ビデオ・カメラ、ビデオ・モニタ等ビデオ機器構成要素を中継するものとして知られ、利用されている。そのような応用例は、比較的低いソース（ｌｏｗ  ｓｏｕｒｃｅ）またはシンク（ｓｉｎｋ）・インピーダンスによってビデオ信号をバスに供給し、比較的高いオフ・ステート（ｏｆｆ  ｓｔａｔｅ）・インピーダンスによってビデオ信号をバスから分離するための駆動装置の性能を必要とする。そのような特性は、▲１▼低インピーダンスでバスに電流を供給すなわち“ソース（ｓｏｕｒｃｉｎｇ）”すること、▲２▼低インピーダンスでバスから電流を除去すなわち“シンク（ｓｉｎｋｉｎｇ）”すること、▲３▼特にオープン回路の極めて高いインピーダンスで、ビデオ信号をバスから分離すなわちデカップリング（ｄｅ−ｃｏｕｐｌｉｎｇ）すること、の３つの可能な駆動条件故に、トライ・ステート（ｔｒｉ−ｓｔａｔｅ：３状態）動作と呼ばれる。
【０００４】
【発明が解決しようとする課題】
そのようなトライ・ステート動作は、機械的なリレーを使って、バスにビデオ駆動装置の出力を結合することで得られる。機械的リレーは、オン・オフインピーダンスに関して、この目的のために優れた電気特性を有するが、比較的高価であって形も大きく、信頼性に欠けていて動作速度も遅い。トランスミッション・ゲートのような半導体スイッチは、ビデオ信号を選択的にバスに結合するのに用いることができるが、概して比較的高い“オン”抵抗を示す。“オン”抵抗は、また信号レベルによって変化し、望ましくない信号の歪を生ずる。
【０００５】
半導体スイッチの劣悪な“オン・ステート”特性の問題を克服するトライ・ステート動作を供給する際の問題の１解決策は、１９８６年４月８日に付与のＢｅｙｅｒｓ（バイヤーズ），Ｊｒ．による米国特許第４，５８１，６４５号、“分散切換型オーディオ／ビデオ構成システム”に記述されている。その中の典型的な駆動増幅回路では、バスへのビデオ結合は、ピン（ＰＩＮ）ダイオードによりなされる。バイヤーズ、Ｊｒ．が説明するように、そのようなダイオードは、ビデオ周波数において優れた分離特性を有するが、相対的に劣悪な“オン・ステート”インピーダンス特性（例えばバイアスがかけられた状態で比較的高く変りやすいインピーダンス）を持つ。バイヤーズは、ピン（ＰＩＮ）スイッチング・ダイオードを、駆動増幅器と共にネガティブ・フィードバック回路に組み入れることで、ＰＩＮダイオードに関する問題を解決した。ネガティブ・フィードバックは、ダイオードにバイアスがかけられている時に適用され、ビデオ信号をバスに結合する時に効果的にオン・ステート・ダイオードの抵抗を下げたり安定化したりする。ビデオ信号をバスより分離する時、逆ＤＣバイアスをダイオードに加えるための準備がなされる。しかしながら、特殊なスイッチングダイオード（ＰＩＮダイオード）を用い、ダイオードにネガティブ・フィードバックをかけると、スイッチング回路は比較的複雑になる。
【０００６】
上述の例は、いわゆる“シングル・エンド”型トライ・ステート増幅と呼ばれるものに関する。ある応用例では、平衡した動作により得られる、改善されたコモンモード除去という長所を得るために、平衡したトライ・ステート動作を備えることが望ましい。
【０００７】
平衡したライン・ドライブ性能を与え、相対的に劣ったオン・ステートのインピーダンス特性を克服するために、特殊なスイッチング・ダイオードもネガティブ・フィードバックをかけることも必要としない、簡略化されたトライ・ステート・ビデオ・バス・ドライバが求められている。さらに、駆動装置が、待機またはトライ・ステートモードの時、休止消費電力を減少させることが求められている。本発明は、上記のすべての要望に応えることを目的としている。
【０００８】
【課題を解決するための手段】
本発明に従って、トライ・ステート平衡ラインビデオ・バス駆動を提供する方法は、ビデオ入力信号から相補の第１および第２電流を作成し、第１負荷回路において、前記第１電流から第１信号を、第２負荷回路において前記第２電流から第２信号を生成し、電圧フォロワ・トランジスタを介して第１出力ターミナルに、電流源トランジスタを介して第２出力ターミナルに前記第１信号を供給し、第２電圧フォロワ・トランジスタを介して前記第２出力ターミナルに、第２電流源トランジスタを介して前記第１出力ターミナルに、前記第２信号を供給し、前記相補の第１および第２電流をイネーブルして、前記第１、第２、第３および第４トランジスタによって前記出力ターミナルにプッシュ・プル出力信号を発生させ、前記相補の第１および第２電流を使用不可にして、前記負荷回路を介して前記第１、第２、第３および第４トランジスタにターン・オフ・バイアスを与えることによって、前記出力ターミナルを分離することを特徴とする。
【０００９】
本発明に従って、トライ・ステート平衡型ビデオ・バス駆動を提供するための装置は、ビデオ入力信号から相補の第１および第２電流を得るための差動電流源と、第１負荷回路において前記第１電流から第１出力信号を生成し、第２負荷回路において前記第２電流から第２出力信号を生成する負荷ネットワークとを有する。第１出力回路は、第１電圧フォロワ・トランジスタを介して第１出力ターミナル１６へ、そして第１電流源トランジスタを介して第２出力ターミナルへ第１出力信号を供給する。第２出力回路は、第２電圧フォロワ・トランジスタを介して前記第２出力ターミナルへ、そして第２電流源トランジスタを介して前記第１出力ターミナルへ第２出力信号を供給する。供給されたコントロール信号の第１レベルに応答するトライ・ステート・コントロール回路は、差動電流源をイネーブルして、前記相補の第１および第２電流を発生し、これによって、出力ターミナルにおいてプッシュ・プル出力信号を発生する。トライ・ステート・コントロール回路は、前記コントロール信号の第２レベルに応答して、差動電流源による相補の第１および第２電流の発生を禁止することによって、前記負荷回路をイネーブルし、前記第１、第２、第３および第４トランジスタにターンオフ・バイアスを供給して出力ターミナルをトライ・ステート化（分離）する。
【００１０】
【発明の実施の形態】
前述した本発明の特徴およびさらにつけ加えられた特徴は、同一の素子が同一の参照番号により示されている添付の図によって示されている。
【００１１】
図１のトライ・ステート平衡ライン駆動システム５は、対のより線により終端負荷やブリッジング負荷を含む多くの負荷デバイスへ、ビデオ信号を配分する。ここに使用される“終端”負荷は、対のより線による配線の特性インピーダンス（この例では１２０オーム）に等しい抵抗性成分を有する負荷を意味し、ブリッジング負荷は、本質的にはラインの特性インピーダンスを越える入力インピーダンス（例えば、１２０オームの１０倍またはそれ以上）を有する負荷である。
【００１２】
駆動システム５は、１対の供給ターミナル２２，２４、１対の入力信号ターミナル１２，１４、トライ・ステート・コントロール・ターミナル２０、および１対のビデオ信号出力ターミナル１６，１８を有するトライ・ステート・バス駆動装置１０を有する。供給ターミナル２２，２４は、それぞれ供給電源３６（例えば＋１２ボルト）と接地側（ｇｒｏｕｎｄ）に接続される。信号ターミナル１２，１４は、本発明のこの例では、それぞれベース・バンド・ビデオ入力信号Ｓ１を受信するためのベース・バンド・ビデオ信号源３０と、バイアス電圧（本発明の例では、例えば＋３．５ボルトＤＣバイアス）を受けるためのバイアス源３２に接続される。この電源構成は、ビデオ源が“シングル・エンド型”の場合の例である（後で、図３において、差動ビデオ源の例が示される）。トライ・ステート・コントロール・ターミナル２０は、本発明のこの例では、駆動回路の通常のプッシュ・プル動作を可能にする、０ボルトと正の任意の電位との間で変化するトライ・ステート・コントロール信号Ｓ２を与えるトライ・ステート・コントロール信号源３１に接続される。電位０ボルトは、出力ターミナルが分離されたトライ・ステート動作のためのもので、ある正電位として例えば１．７ボルトが、本発明では選択されている。
【００１３】
出力ターミナル１６，１８は、トライ・ステート・コントロール信号が高電位（＋１．７ボルト）の時、平衡ライン駆動をバス５０に与え、トライ・ステート・コントロール信号が低電位（例えば接地電位）のとき、バス５０から分離される。バス５０は、１２０オームの特性インピーダンスを有する対のより線（例えば４０，４４）を経て、負荷に配分される。システムは、１２０オームのより線の特性インピーダンスに等しい入力インピーダンスの実数部、すなわち抵抗成分を有する、１対の終端負荷４２，４６と、実質的には１２０オームを越える入力インピーダンスの抵抗成分を有する、数多くのいわゆる“ブリッジング負荷”とを駆動するために設計されている。
【００１４】
負荷は、例えば、テレビジョン表示機器、ビデオカセット・レコーダ、ビデオ・モニタ、ビデオ・テープ・レコーダ等から構成される。そのうちの数個は、高インピーダンス（ブリッジング）のものであり、２個は低インピーダンス（すなわち、対のより線の特性インピーダンス１２０オームに等しい）である。
【００１５】
都合のよいことに、ビデオ機器への配線のために対のより線を使うことで、給電線の電波放射を非常に低いレベルに抑えることができる。またデージー・チェイン（ｄａｉｓｙ  ｃｈａｎｉｎｇ）のように、より線によって相互に結び合わせるのは、コネクタから考えて同軸線より簡単であって、より低価格なものにできる。
【００１６】
トライ・ステート・バス駆動装置１０（添付図中に破線で囲んである）について詳しく考察してみると、差動電流源５１（破線で囲んである）、１組の負荷ネットワーク５２，５４（破線で囲んである）、１組の出力回路５６，５８（破線で囲んである）が備えられている。後で詳述するが、トライ・ステート・モードの場合、▲１▼出力回路の休止消費電力はゼロである、▲２▼負荷回路の休止消費電力はゼロである、▲３▼差動電流源の休止消費電力はまたゼロである、▲４▼トライ・ステート・コントロール回路の休止消費電力はゼロである、ことが本発明の実施例の特にとりたてた利点である。
【００１７】
差動電流源５１の一つの機能は、バス駆動措置１０の通常動作中、ビデオ入力信号（Ｓ１）から相補の第１および第２電流（Ｉ１，Ｉ２）を得ることである。他の一つは、後述するように、負荷ネットワーク５２，５４が駆動装置１０の４個の出力トランジスタのすべてのバイアスをオフにし、それによって回路の出力ターミナルを分離するトライ・ステート動作の間、出力電流（Ｉ１，Ｉ２）をゼロにすることである。
【００１８】
都合のよいことに、前述したように、バス５０の分離すなわち“トライ・ステート”の行われている間は、バスを通ってビデオ信号を２つの経路で連絡することができる。もっと詳述すれば、多くのビデオ源があってすべてがトライ・ステートの性能を持っているとすれば、選択されなかったビデオ源が、選択されたビデオ・バス駆動源の動作を妨げないように、バスから切り離されている間、いかなるビデオ源もビデオ信号を配分してビデオ成分を利用するために、バスのコントロールを行うことができる。そのような構成は、柔軟性に富むものであり、コンピュータ遠隔会議システム、有線ビデオ機器、その他各種ビデオサービスを含む現代のビデオ関連機器の拡大する“情報ハイウェイ”に柔軟性を与えるために、特に必要とされる。
【００１９】
本発明のこの特殊な例において、差動電流源５１の適当な回路構成として、２個のＮＰＮトランジスタＱ１，Ｑ２を備え、そのベースにはトライ・ステート入力ターミナル２０が接続され、エミッタは各抵抗Ｒ１，Ｒ２を介して供給ターミナル２４（接地側）に接続し、コレクタが共に抵抗Ｒ３を介して差動増幅回路のトランジスタＱ３，Ｑ４のエミッタと結ばれている。差動増幅回路のトランジスタＱ３，Ｑ４は、信号入力ターミナル１２，１４にそれぞれ接続されるベース電極と、（トランジスタＱ４から）相補出力電流Ｉ１と、（トランジスタＱ３から）相補出力電流Ｉ２とを供給するためのコレクタ電極とを有する。
【００２０】
トランジスタＱ３，Ｑ４は、入力ターミナル１２，１４に加えられた入力信号を、単に差動増幅するものである。しかしながら、駆動装置１０のトランジスタＱ１，Ｑ２は、二重の機能を与える。機能の１つは、駆動装置１０の通常動作の間、エミッタ結合の差動増幅トランジスタＱ３，Ｑ４のために、休止動作電流レベルを確立することである。休止電流は、ターミナル２０に加えられるバイアス値と抵抗Ｒ１，Ｒ２の値によって決まる。他の機能は、トライ・ステート動作の間、出力ターミナルから駆動回路をスムースにデカップリングするために、差動増幅回路の出力電流をゼロとすることである。増幅回路トランジスタＱ３，Ｑ４のエミッタの間を相互に結合する抵抗Ｒ３は利得を決定する機能を与える。Ｒ３の抵抗値を増やすと駆動装置１０の利得は減少し、抵抗値を減らすとその逆となる。
【００２１】
上述したように、駆動装置１０は１対の負荷ネットワークを有する。第１負荷ネットワーク５２は、入力ターミナル１２に加えられたビデオ信号と同相である第１電流Ｉ１から、信号（Ｖ１）を生成し、第２負荷ネットワーク５４は、入力ターミナル１２に加えられたビデオ信号と逆相（ｏｕｔ−ｏｆ−ｐｈａｓｅ）である第２電流Ｉ２から信号（Ｖ２）を生成する。特に、第１負荷ネットワーク５２は、トランジスタＱ４のコレクタから電源ターミナル２２に接続する１対の抵抗Ｒ５，Ｒ７からなっている（与えられた抵抗値と図示されたトランジスタの型から、代表的な電源電圧は＋１２ボルトである）。第２負荷ネットワーク５４は、トランジスタＱ３のコレクタから電源ターミナル２２に接続する１対の抵抗Ｒ４，Ｒ６より構成される。後に詳述するように、これら２個の負荷ネットワークは、第１電流Ｉ１、第２電流Ｉ２が流れているとき、出力ターミナル１６，１８にプッシュ・プル（平衡した）出力信号を供給するために４個のトランジスタＱ５〜Ｑ８にバイアスをかける。２つの電流が、前述したように抑止された時、すなわち電流０となったとき、２個の負荷ネットワークは、正の電源ターミナル２２に対して、４個の出力トランジスタＱ５〜Ｑ８のコントロール電極（ベース電極）をクランプするという別の機能を提供し、それによってすべてのトランジスタがオフにバイアスされ、出力ターミナル１６，１８を駆動回路トランジスタより分離、すなわち出力をトライ・ステート化する。
【００２２】
駆動装置１０は、さらに１対の出力回路５６，５８（破線で囲まれている）を有する。第１出力回路５６は、第１電圧フォロワ・トランジスタＱ６を介して、第１出力ターミナル１６へ同相信号Ｖ１を供給し、第１電流源トランジスタＱ８を介して、第１出力ターミナルへ逆相（ｏｕｔ  ｏｆ  ｐｈａｓｅ）信号Ｖ２を供給する。第２出力回路５８は、第２電圧フォロワ・トランジスタＱ５を介して、第２出力ターミナル１８へ逆相信号Ｖ２を加え、第２電流源トランジスタＱ７を介して、第２出力ターミナルへ同相信号Ｖ１を加える。
【００２３】
差動電流源５１に関しては、トランジスタＱ１，Ｑ２のベースをクランプすることが、出力電流Ｉ１，Ｉ２をゼロにさせるという点で、電流源５１が鍵になる（ｋｅｙｅｄ）源である。これは正に、トライ・ステート・コントロール信号源が、トライ・ステート動作中に行うことである。もっと特定すれば、差動電流源におけるトライ・ステート・コントロール回路（トランジスタＱ１，Ｑ２）は、供給されたコントロール信号（Ｓ２）の第１レベル（＋１．７Ｖ）に応答して、差動電流源Ｑ３，Ｑ４をイネーブルすることによって、相補の第１および第２電流を生成して、出力ターミナル１６，１８にプッシュ・プル出力信号を生成する。トライ・ステート・コントロール回路Ｑ１，Ｑ２は、コントロール信号Ｓ２の第２レベル（０Ｖ）に応答して、差動電流源が相補の第１および第２電流を生成することを阻止することによって、負荷回路５２，５４をイネーブルして、出力トランジスタ（Ｑ５〜Ｑ８）にターンオフバイアスを供給し、出力ターミナル１６，１８をトライ・ステート化（分離）する。
【００２４】
図１の駆動装置システムにおいて、対のより線は１２０オームの特性インピーダンスを有するものである。トライ・ステート・バス駆動装置１０の出力インピーダンスは、駆動回路５６，５８と各出力ターミナル１６，１８との間に１対の直列抵抗ＲＳ１，ＲＳ２を接続することによって、１２０オームの差分出力インピーダンスと、６０オームのシングル・エンド出力インピーダンスとを得るように調整され、所望の出力インピーダンスを得る。バス駆動装置１０の全利得は、差動増幅トランジスタＱ３，Ｑ４のエミッタを直結するエミッタ接続抵抗Ｒ３の抵抗値と、電流源トランジスタＱ７，Ｑ８のエミッタを直結するエミッタ接続抵抗Ｒ１０との抵抗値との選択によって、コントロールすることができる。
【００２５】
素子の値を例示した図１の実施例において、バス駆動装置１０は５ＭＨｚ台の公称帯域幅を持ち、オン・インピーダンスは、公称値で各レグ（ｌｅｇ）が６０オーム、差分が１２０オームである。終端は、６０オーム差分のネット終端インピーダンスに対してバスの各端において１２０オームの終端からなる。信号レベルは、終端においてピーク・トウ・ピーク値１ボルトで、コモン・モード電圧は１２Ｖの電源電圧に対して公称６ボルトである。
【００２６】
差動電流源のトランジスタＱ４のコレクタで得られる信号電圧Ｖ１は、入力ターミナル１２における入力信号電圧と同相であって、出力ターミナル１６において同相電圧を生ずる。トランジスタＱ３のコレクタにおいて、負荷ネットワーク５４により得られる信号電圧Ｖ２は、入力ターミナル１２に加えられた信号入力電圧と逆相である。それ故、入力ターミナル１２は、図１において駆動装置非反転入力ターミナルとして表示され、入力ターミナル１４は、駆動装置反転入力ターミナルとして表示される。そして、信号Ｖ１は“同相”信号として表示され、信号Ｖ２は“逆相”信号として表示される。特許請求の範囲中の“同相”、“逆相”の表現は、上記のことを規定するものである。
【００２７】
好都合なことに、トライ・ステート・モードの全てにおいては、電力は全然消費しないことに加えて、図１の例は、発振する傾向をほとんど持たず、無条件に安定していることを示す。それ故、迅速なビデオの過渡現象（ｔｒａｎｓｉｅｎｔｓ）は、このシステムにより容易に処理され、オーバーシュートのような過渡現象によるアーティファクト（ａｒｔｉｆａｃｔｓ）は避けられる。
【００２８】
多くの変更や改良を、図１の例に施すことができる。例えば、図２の場合では、シングル・エンド型ビデオ源のケースとして、コンデンサＣ１が、差動電流源５１のトランジスタＱ３のエミッタと接地側（ｇｒｏｕｎｄ）との間に加えられている。もっと詳細に言うと、理想的な差動出力に対する高周波限界が、図１のようなシングル・エンド入力（差動入力ではない）駆動信号に生ずることがわかる。トランジスタＱ３のコレクタ・ベース間容量により、ターミナル１２の入力信号から、高周波電流が直接トランジスタＱ３のコレクタへ流れる。この効果は、図２に示すように、トランジスタＱ３のエミッタからＡＣ接地側へコンデンサＣ１を付加し、その容量としてトンラジスタＱ３の有効なコレクタ・ベース間容量Ｃcbの値を選択することによって、打ち消すことができる。この付加されたコンデンサＣ１は、実質的に振幅が等しく、位相が反対の電流を、トランジスタＱ３のエミッタとコレクタとの間に生ずる。トランジスタＱ１，Ｑ２の構成を用い、トライ・ステート・コントロール信号が比較的低いＡＣインピーダンスになるようにアレンジすることによって、トランジスタＱ３の容量Ｃcbの影響は、もしトランジスタＱ３およびトランジスタＱ１が同様のデバイスであるならば、トランジスタＱ１の容量Ｃcbによってほとんど打ち消される。本発明の前述した例におけるように、トランジスタは全てオフであり、どのターミナルにも電流が流れていないので、トライ・ステート・モードにおける休止電流はゼロである。それ故、休止消費電力もゼロである。
【００２９】
図１のシステムにおける他の変更例として、シングル・エンド駆動の代りに差分駆動を駆動装置１０に提供する。これは図３に示されていて、ベース・バンド・ビデオ信号源３０とバイアス電源３２とが取り消されて、前のレベル（例えば３．５ボルト）でバイアスのかけられた出力信号を有する差分出力ベースバンド・ビデオ信号源３００によって置き換えられている。この差分電源の構成が全利得（例えば＋６デシベル）を倍増するので、駆動装置の利得設定抵抗Ｒ１０および／またはＲ３は、増加分を保証するためにより低い利得に調整される。前述の例のように、全トランジスタはバイアス・オフされ、駆動装置には電流の経路が他ににはないので、トライ・ステート動作中駆動装置の休止消費電力はゼロである。
【００３０】
その他多くの変更や改良を図１の例に施すことができる。例えば、電流Ｉ１，Ｉ２をゼロにして、トライ・ステート動作を達成するためには、トランジスタＱ１，Ｑ２は必要ない。その代り、例えば、図示のように、トランジスタＱ３，Ｑ４のエミッタ電流を遮断するより、むしろトランジスタＱ３，Ｑ４のベース電圧をゼロにするために、トランジスタまたはトランスミッション・ゲートを利用することができる。そのような構成は図４に示されていて、スイッチ４０２，４０４が、トランジスタＱ３，Ｑ４のベースを接地し、それによりコレクタ電流Ｉ１，Ｉ２をトライ・ステート動作のためにゼロにするのに使用される。本発明の前述したすべての例におけると同様、この改良案も、トライ・ステート（バス分離）・モード時、駆動装置１０の休止電流をゼロ・ワット（消費電力ゼロ）に減少させるという利点を持っている。
【００３１】
その他の代案としては、図５に示されるように、トランジスタＱ３，Ｑ４のコレクタにトランスミッション・ゲート５０２，５０４を設置し、この付加されたトランスミッション・ゲート５０２，５０４によって、電流Ｉ１，Ｉ２をゼロに等しくして、トライ・ステート動作を得るものである。上述の代案は、前述した諸例のような休止消費電力をゼロにすることはなく、差動電流源５１の消費電力についてのみ、休止消費電力は節減され、負荷回路５２，５４または駆動回路５６，５８もほとんど電力を消費していない。差分出力電流Ｉ１，Ｉ２をゼロにするための他の代案も利用することができる。本発明の目的に対して最も重要なものは、トライ・ステート動作中に差分出力電流Ｉ１，Ｉ２をゼロにするための適切な手段である。これが得られると、負荷回路または駆動回路には全然電力消費がなく、そして図１〜図４および図６の実施例についてすでに述べたように、もし電流が抑えられれば差動電流源にも電流消費が生じない。
【００３２】
図１の実施例に対するその他の変更は、例えば、トランジスタの型を図６に示すようにバイポーラからＭＯＳに変えることである。特に、本発明のこの例では、ＮＰＮ型バイポーラ・トランジスタＱ１〜Ｑ４をＮチャネル電界効果トランジスタＮ１〜Ｎ４に置き換え、ＰＮＰ型バイポーラ・トランジスタＱ５〜Ｑ８をＰチャネル電界効果トランジスタＰ５〜Ｐ８に置き換えた。一般的に低いＭＯＳトランジスタの相互コンダクタンスのために、抵抗値は適当に調整できる。
【００３３】
他の望ましい改良例は、バイポーラ・トランジスタが電圧フォロワ・トランジスタＱ５，Ｑ６として用いられ、そこでは、出力トランジスタＱ５，Ｑ６の定格Ｖber （逆バイアスベース・エミッタ破壊電圧）を越える比較的大きな電圧変化の起ることが予想される。例えば、出力ターミナルが偶然接地側にショートし、電圧駆動トランジスタが最大定格Ｖber 以上の電圧でバイアスされると、ベース・エミッタ接合の逆バイアス破壊が生ずる。そのような具合にストレスをかけられたトランジスタは、ノイズ・レベルが常に増え続けることになる。そのような潜在的な問題は、予想される欠陥に備えて適当に大きいＶber を持つ電圧駆動トランジスタＱ５，Ｑ６を選ぶか、または過渡現象により回避することができる。しかし、もしそのようなトランジスタが利用できない場合は、図７に示すように、電圧フォロワ・トランジスタのエミッタ・リード線に直列に、ダイオードを挿入することでＶber の保護は達成される。
【００３４】
もっと詳しく述べると、図７においてＶber 保護ダイオード７００が、トランジスタＱ５のエミッタと直接に挿入され、Ｖber 保護ダイオード７０２がトランジスタＱ６のエミッタと直列に挿入される。ダイオードは、トランジスタと同方向に電流を流すように接続される。それ故、誤って出力ターミナル１６を接地側にショートしても、ダイオード７０２は逆バイアスされ、トランジスタＱ６のＶber 破壊が防止される。同様に、出力ターミナル１８が接地側にショートされても、ダイオード７００は逆バイアスされ、電圧フォロワ・トランジスタＱ５のＶber 保護がなされる。
【図面の簡単な説明】
【図１】一部見取図形式の、本発明のトライ・ステート平衡ライン・ビデオ・バス駆動システムの実施例を示すブロック図である。
【図２】図１の実施例に用いられたトライ・ステート平衡ライン駆動システムの改良例を示す回路図である。
【図３】図１のシステムの改良例を示す簡略ブロック図である。
【図４】図１のトライ・ステート平衡ライン・ビデオ・バス駆動システムのさらに改良された例を示す図である。
【図５】図１のトライ・ステート平衡ライン・ビデオ・バス駆動システムのさらに改良された例を示す図である。
【図６】図１のトライ・ステート平衡ライン・ビデオ・バス駆動システムのさらに改良された例を示す図である。
【図７】図１のトライ・ステート平衡ライン・ビデオ・バス駆動システムのさらに改良された例を示す図である。
【符号の説明】
１６  第１出力ターミナル
１８  第２出力ターミナル
５１  差動電流源
５２  第１負荷ネットワーク
５４  第２負荷ネットワーク
５６  第１出力回路
５８  第２出力回路
【図１】
0003713071.tif 000002
【図２】
0003713071.tif 000003
【図３】
0003713071.tif 000004
【図４】
0003713071.tif 000005
【図５】
0003713071.tif 000006
【図６】
0003713071.tif 000007
【図７】
0003713071.tif 000008